(57)【要約】【課題】背負いベルトを使用者の身体に十分にフィットさせることができる背負い鞄を提供する。【解決手段】背負い鞄１００は、収納部１と、収納部１に取り付けられたベルト取付具４と、ベルト取付具４に取り付けられた背負いベルト３とを備えている。背負いベルト３は、自在に可塑変形可能な形状保持部材１０を含んでいる。形状保持部材１０は、ベルト取付具４に固定されており、かつベルト取付具３から使用者の肩に沿って立ち上がるように構成されている。【選択図】図１
2020036826.tif 000002
【特許請求の範囲】
【請求項１】
収納部と、
前記収納部に取り付けられたベルト取付具と、
前記ベルト取付具に取り付けられた背負いベルトとを備え、
前記背負いベルトは、自在に可塑変形可能な形状保持部材を含み、
前記形状保持部材は、前記ベルト取付具に固定されており、かつ前記ベルト取付具から使用者の肩に沿って立ち上がるように構成されている、背負い鞄。
【請求項２】
前記形状保持部材は、前記ベルト取付具から外方に突き出すように湾曲してから内方に突き出すように湾曲している、請求項１に記載の背負い鞄。
【請求項３】
前記形状保持部材は、前記ベルト取付具から前記使用者の胸に沿う位置まで延在している、請求項１または２に記載の背負い鞄。
【請求項４】
前記背負いベルトに取り付けられた反射鋲をさらに備え、
前記反射鋲は、前記形状保持部材に重なるように配置されている、請求項１〜３のいずれか１項に記載の背負い鞄。
【発明の詳細な説明】
【技術分野】
【０００１】
本発明は、背負い鞄に関するものである。
【背景技術】
【０００２】
従来、使用者が背負い鞄を背負ったときに、使用者の身体にフィットする背負いベルトを備えた背負い鞄が提案されている。例えば、特許第４８５８８３３号公報（特許文献１）には、背負いベルトに設けられた樹脂製形状保持テープの形状を変形させることにより、背負いベルトを使用者の身体にフィットさせることできる背負い鞄が記載されている。この公報に記載された背負い鞄では、収納部の背部に配置されたベルト取付具に背負いベルトの上端が連結環を介して接続されている。樹脂製形状保持テープは、背負いベルトの使用者の肩から胸に接触する部分に配置されている。
【先行技術文献】
【特許文献】
【０００３】
【特許文献１】特許第４８５８８３３号公報
【発明の概要】
【発明が解決しようとする課題】
【０００４】
しかしながら、上記公報に記載された背負い鞄では、ベルト取付具に背負いベルトが連結環を介して接続されているため、ベルト取付具と背負いベルトとの間には樹脂製形状保持テープが配置されていない。したがって、ベルト取付具と背負いベルトとの間では、樹脂製形状保持テープにより背負いベルトを使用者の身体にフィットさせることはできない。このため、背負いベルトを使用者の身体に十分にフィットさせることは困難である。
【０００５】
本発明は上記課題に鑑みてなされたものであり、その目的は、背負いベルトを使用者の身体に十分にフィットさせることができる背負い鞄を提供することである。
【課題を解決するための手段】
【０００６】
本発明の背負い鞄は、収納部と、収納部に取り付けられたベルト取付具と、ベルト取付具に取り付けられた背負いベルトとを備えている。背負いベルトは、自在に可塑変形可能な形状保持部材を含んでいる。形状保持部材は、ベルト取付具に固定されており、かつベルト取付具から使用者の肩に沿って立ち上がるように構成されている。
【発明の効果】
【０００７】
本発明の背負い鞄によれば、形状保持部材はベルト取付具に固定されており、かつベルト取付具から使用者の肩に沿って立ち上がるように構成されている。このため、形状保持部材により背負いベルトをベルト取付具から使用者の肩に沿って立ち上がるように保持することができる。したがって、背負いベルトを使用者の身体に十分にフィットさせることができる。
【図面の簡単な説明】
【０００８】
【図１】本発明の一実施の形態における背負い鞄の概略正面図である。
【図２】本発明の一実施の形態における背負い鞄の概略側面図である。
【図３】本発明の一実施の形態におけるベルト取付具に背負いベルトが取り付けられた状態を説明するための部分断面図である。
【図４】本発明の一実施の形態におけるベルト取付具に取り付けられた背負いベルトの形状を説明するための部分正面図である。
【図５】本発明の一実施の形態における背負い鞄が使用者に背負われた状態を示す概略側面図である。
【発明を実施するための形態】
【０００９】
以下、本発明の一実施の形態について図に基づいて説明する。本実施の形態における背負い鞄は、ランドセル、リュックサックなどの各種の背負い鞄に適用可能である。以下においては、本実施の形態における背負い鞄を一例としてのランドセルに基づいて説明する。また、以下においては、同一または相当する部分に同一の符号を付すものとし、重複する説明は繰り返さない。
【００１０】
最初に本実施の形態における背負い鞄の構成について説明する。
図１および図２を参照して、本実施の形態における背負い鞄１００は、収納部１と、蓋部２と、一対の背負いベルト３と、ベルト取付具４と、連結部材５と、反射鋲２０とを主に有している。なお、図２は、背負いベルト３を見やすくするため、一方の背負いベルト３を示し、他方の背負いベルト３を示さず、さらに反射鋲２０を示していない。
【００１１】
収納部１は、背部１ａと、底部１ｂと、前部１ｃと、一対の側部１ｄとを有している。背部１ａは、使用者が背負い鞄１００を背負ったときに使用者の背中に向かい合う部分である。底部１ｂは、収納部１の底を構成する部分である。前部１ｃは、背部１ａと対向する部分である。一対の側部１ｄは、背部１ａおよび前部１ｃの各々の左右両側に配置される部分である。
【００１２】
収納部１は上端に開口部を有している。収納部１は、開口部に連通する内部空間を有している。内部空間は、背部１ａ、底部１ｂ、前部１ｃおよび一対の側部１ｄのそれぞれの内周面によって取り囲まれた空間である。収納部１は、開口部を通して内部空間に教科書等を収納可能に構成されている。蓋部２は、収納部１の背部１ａの上端に接続されており、背部１ａの上端を基端にして開口部を開閉可能に構成されている。
【００１３】
背負いベルト３は、使用者が背負い鞄１００を背負ったときに少なくとも使用者の肩に装着されるように構成されている。一対の背負いベルト３はそれぞれベルト取付具４を介して収納部１の背部１ａに接続されている。一対の背負いベルト３の各々の上端がベルト取付具４に取り付けられている。また、一対の背負いベルト３はそれぞれ連結部材５を介して収納部１の底部１ｂに接続されている。一対の背負いベルト３の各々の下端が連結部材５に取り付けられている。
【００１４】
一対の背負いベルト３の各々は、上ベルト３ａと、下ベルト３ｂと、バックル３ｃと、カバー部材３ｄと、環状部材３ｅと、形状保持部材１０とを主に有している。上ベルト３ａには複数のベルト穴３ａ１が設けられている。上ベルト３ａの上端がベルト取付具４に取り付けられている。下ベルト３ｂの下端が連結部材５に取り付けられている。
【００１５】
上ベルト３ａと下ベルト３ｂとはバックル３ｃによって連結されている。バックル３ｃによって背負いベルト３の長さ調整が可能となる。バックル３ｃは、ピン３ｃ１と、バックル本体３ｃ２とを有している。バックル３ｃは、下ベルト３ｂの上端に取り付けられている。バックル３ｃは、バックル本体３ｃ２に上ベルト３ａを挿通させた状態でピン３ｃ１をベルト穴３ａ１に係止させるように構成されている。
【００１６】
カバー部材３ｄは、上ベルト３ａを挿通可能に構成されている。カバー部材３ｄは、上ベルト３ａが挿通された状態で、上ベルト３ａとバックル本体３ｃ２との間に配置されている。環状部材３ｅは、下ベルト３ｂに取り付けられている。環状部材３ｅは、バックル３ｃによって下ベルト３ｂに連結された上ベルト３ａを挿通可能に構成されている。
【００１７】
なお、背負いベルト３は、リックサックなどの場合には、帯状の一本のベルトで構成されていてもよい。
【００１８】
上ベルト３ａに形状保持部材１０が配置されている。形状保持部材１０は、自在に可塑変形可能に構成されている。つまり、形状保持部材１０は、塑性変形させることが可能であり、かつ塑性変形させた状態を保持可能であり、一旦塑性変形させた状態からさらに塑性変形させることが可能である。このように、形状保持部材１０は、繰り返し可塑変形可能に構成されている。
【００１９】
具体的には、形状保持部材１０は、手指によって曲げると、任意の角度に曲げることができ、さらに異なる曲げ角度に曲げる力が加わるまでは、その形状をほぼそのまま保持し得るように構成されている。形状保持部材１０は、形状保持性を有する塑性変形可能な合成樹脂であってもよい。形状保持部材１０は、ポリオレフィンを一軸方向に高倍率延伸することにより得られる合成樹脂であってもよい。
【００２０】
ベルト取付具４は、背負いベルト３を収納部１に取り付けるためのものである。ベルト取付具４は、収納部１に取り付けられている。ベルト取付具４は、収納部１の背部１ａの上端部に取り付けられている。ベルト取付具４は、取付部４ａと、一対の連結体４ｂとを主に有している。
【００２１】
取付部４ａは、収納部１の背部１ａの上端部に取り付けられている。取付部４ａは、背部１ａの外皮に覆われている。取付部４ａに一対の連結体４ｂが取り付けられている。一対の連結体４ｂは、取付部４ａから上方に突き出している。一対の連結体４ｂは、背部１ａの外皮から露出している。一対の連結体４ｂは、互いに向かい合う方向に揺動自在に構成されていてもよい。一対の連結体４ｂの上端に一対の背負いベルト３の上端が取り付けられている。
【００２２】
連結部材５は、ベルト取付具４とともに背負いベルト３を収納部１に取り付けるためのものである。一対の連結部材５は、収納部１の底部１ｂに取り付けられている。一対の連結部材５に一対の背負いベルト３の下端が取り付けられている。
【００２３】
反射鋲２０は、背負いベルト３に取り付けられている。反射鋲２０は、形状保持部材１０を貫通するように背負いベルト３に取り付けられている。反射鋲２０は、背負いベルト３の表面に配置されている。
【００２４】
反射鋲２０は、鋲本体２１と、光反射部材２２とを有している。鋲本体２１に光反射部材２２が取り付けられている。光反射部材２２は、鋲本体２１から露出している。光反射部材２２は、自動車のライトなどに照らされた際に反射光を生じるように構成されている。また、反射鋲２０には、ナス環２３またはＤ環２４が取り付けられていてもよい。
【００２５】
反射鋲２０は、形状保持部材１０に重なるように配置されている。反射鋲２０は、背負いベルト３の厚さ方向に形状保持部材１０に重なるように配置されている。反射鋲２０の少なくとも一部が形状保持部材１０に重なるように配置されていればよい。つまり、形状保持部材１０は、反射鋲２０の少なくとも一部よりも下方まで位置していればよい。
【００２６】
図１および図３を参照して、背負いベルト３がベルト取付具４に取り付けられた状態についてさらに詳しく説明する。図３は、ベルト取付具４の連結体４ｂに背負いベルト３の上端部が固定された状態を示す部分断面図である。図３は、連結体４ｂおよび背負いベルト３の各々の上端部を断面で示している。
【００２７】
背負いベルト３は、ベルト本体部３０を有している。形状保持部材１０は、ベルト本体部３０の内部に配置されている。ベルト本体部３０は、上層部３１と、下層部３２とを有している。形状保持部材１０は、上層部３１と下層部３２との間に挟み込まれている。形状保持部材１０が上層部３１と下層部３２との間に挟み込まれた状態で、上層部３１および下層部３２の両側部が互いに縫着されている。
【００２８】
ベルト取付具４の連結体４ｂの上端に挿入部４ｃが設けられている。挿入部４ｃは、開口４ｃ１と、開口４ｃ１に連通する内部空間４ｃ２を取り囲む周壁４ｃ３とを有している。背負いベルト３の上端部は、挿入部４ｃの開口４ｃ１から内部空間４ｃ２に上方から下方に向けて挿入されている。つまり、背負いベルト３の上端部は、挿入部４ｃの周壁４ｃ３に取り囲まれている。形状保持部材１０は、背負いベルト３の上端部に配置されており、挿入部４ｃの内部空間４ｃ２に挿入されている。
【００２９】
背負いベルト３の上端部が挿入部４ｃに挿入された状態で、背負いベルト３の上端部は、リベット４ｄによって連結体４ｂに固定されている。リベット４ｄは、形状保持部材１０に設けられた貫通孔Ｈ１に挿通されている。リベット４ｄは、上層部３１、形状保持部材１０、下層部３２を貫通した状態で、背負いベルト３をベルト取付具４にリベット止めしている。このようにして、背負いベルト３は、ベルト取付具４に固定されている。また、形状保持部材１０は、ベルト取付具４に固定されている。
【００３０】
背負いベルト３は、ベルト取付具４から使用者の肩に沿って立ち上がるように構成されている。また、形状保持部材１０は、ベルト取付具４から使用者の肩に沿って立ち上がるように構成されている。形状保持部材１０は、ベルト取付具４から上方に向いた状態でベルト取付具４に固定されている。形状保持部材１０は、少なくともベルト取付具４から使用者の肩の位置まで延在している。
【００３１】
なお、形状保持部材１０は、ベルト本体部３０の内部に配置されずに、ベルト本体部３０の外部に配置されていてもよい。つまり、形状保持部材１０は、ベルト本体部３０の表面または裏面に配置されていてもよい。
【００３２】
図１および図４を参照して、ベルト取付具４に取り付けられた背負いベルト３の形状についてさらに詳しく説明する。図４は、ベルト取付具４に取り付けられた背負いベルト３の形状を示す部分正面図である。図４は、背負いベルト３の上部およびベルト取付具４を示している。図４は、背負いベルト３の形状を説明するため、背負いベルト３をベルト取付具４から上方に向けて延在した状態で示している。
【００３３】
背負いベルト３は、ベルト取付具４から外方に突き出すように湾曲してから内方に突き出すように湾曲している。背負いベルト３は、背負いベルト３の幅方向にＳ字状に蛇行するように構成されている。背負いベルト３の形状保持部材１０が挿入されている部分では、外側部が内側部よりも短くなるように構成されている。
【００３４】
形状保持部材１０は、ベルト本体部３０に沿って延在するように構成されている。形状保持部材１０は、ベルト取付具４から外方に突き出すように湾曲してから内方に突き出すように湾曲している。形状保持部材１０は、形状保持部材１０の幅方向にＳ字状に蛇行するように構成されている。形状保持部材１０では、外側部が内側部よりも短くなるように構成されている。
【００３５】
形状保持部材１０は、帯状に構成されている。つまり、形状保持部材１０は薄板状に構成されている。形状保持部材１０は、ベルト本体部３０の両側部の縫着部間において略両端に亘って延在するように構成されている。形状保持部材１０の上端部にはリベット４ｄを挿通するための貫通孔Ｈ１が設けられている。また、形状保持部材１０の下端部には反射鋲２０を挿通するための貫通孔Ｈ２が設けられている。
【００３６】
図１および図５を参照して、背負い鞄１００が使用者２００に背負われた状態について説明する。図５は、背負いベルト３を見やすくするため、使用者２００を２点鎖線で示している。図５は、形状保持部材１０を見やすくするため、反射鋲およびナス環を示していない。
【００３７】
形状保持部材１０は、ベルト取付具４から使用者２００の肩２０１に沿って立ち上がるように構成されている。形状保持部材１０は、ベルト取付具４から使用者２００の胸２０２に沿う位置まで延在している。形状保持部材１０は、ベルト取付具４から使用者２００の肩２０１に沿う位置を経由して使用者２００の胸２０２に沿う位置まで延在している。形状保持部材１０は、使用者２００の肩２０１の形状に沿うように湾曲している。形状保持部材１０は、背負い鞄１００を背負った使用者２００を上方から見たときに、使用者２００の肩２０１を覆うように配置されている。
【００３８】
形状保持部材１０は、ベルト取付具４に固定されており、かつベルト取付具４から使用者２００の肩２０１に沿って立ち上がるように構成されている。このため、形状保持部材１０を背負いベルト３が使用者２００の肩２０１に沿うように湾曲させることで、使用者２００が背負い鞄１００を背負ったときに、背負い鞄１００の重心を使用者２００の身体の重心に近づけるとともに高い位置に設定することができる。これにより、使用者２００は背負い鞄１００を軽く感じることができる。さらに、使用者２００が背負い鞄１００を背負う前に、背負いベルト３を身体に沿った形状に変形させることができるため、一対の背負いベルト３の開きを抑制することができる。つまり、使用者２００の肩２０１の最上部に位置する一対の背負いベルト３間の幅Ｌ（図１参照）が、背負い鞄１００を使用するにつれて拡がることを抑止することができる。
【００３９】
また、使用者２００が背負い鞄１００を背負ったときに、背負い鞄１００を使用者２００の肩２０１に向けて傾斜させることができる。つまり、図５中一点鎖線Ａで示す垂直方向に対して、図５中一点鎖線Ｂで示す収納部１の中心線を使用者２００の肩２０１に向けて傾斜させることができる。すなわち、背負い鞄１００を前傾させることができる。これにより、使用者２００は、身体の姿勢を垂直方向に近づけた状態で保つことが容易となるため、使用者２００の身体的負担を軽減することが可能となる。仮に、背負い鞄１００が使用者２００の肩２０１から離れるように傾斜すると、使用者２００は、頭および首を背負い鞄１００と反対側に突き出して身体の姿勢を垂直に保とうとする。このため、背負い鞄１００によって使用者２００の首および肩などにかかる身体的負担が大きくなる。上述のとおり、本実施の形態における背負い鞄１００は、使用者２００が背負い鞄１００を背負ったときに、使用者２００の肩２０１に向けて傾斜する。このため、使用者２００は、身体の姿勢を垂直方向に近づけた状態で保つことが容易となる。したがって、背負い鞄１００によって使用者２００の首および肩などにかかる身体的負担が軽減される。
【００４０】
次に、本実施の形態における背負い鞄１００の作用効果について説明する。
本実施の形態における背負い鞄１００によれば、形状保持部材１０はベルト取付具４に固定されており、かつベルト取付具４から使用者２００の肩２０１に沿って立ち上がるように構成されている。このため、形状保持部材１０により背負いベルト３をベルト取付具４から使用者２００の肩２０１に沿って立ち上がるように保持することができる。つまり、形状保持部材１０はベルト取付具４に固定されているため、ベルト取付具４からすぐに背負いベルト３を使用者２００の肩２０１にフィットさせることができる。さらに形状保持部材１０はベルト取付具４から使用者２００の肩２０１に沿って立ち上がるように構成されているため、背負いベルト３をベルト取付具４から使用者２００の肩２０１に沿って立ち上がるように保持することができる。したがって、背負いベルト３を使用者２００の身体に十分にフィットさせることができる。
【００４１】
よって、使用者２００が背負い鞄１００を背負ったときに、背負い鞄１００の重心を使用者２００の身体の重心に近づけるとともに高い位置に設定することができる。これにより、使用者２００は背負い鞄１００を軽く感じることができる。また、使用者２００が背負い鞄１００を背負ったときに、背負い鞄１００は使用者２００の肩２０１に向けて傾斜するため、背負い鞄１００によって使用者２００の首および肩などにかかる身体的負担を軽減することができる。
【００４２】
また、形状保持部材１０を変形させることで背負いベルト３の形状を変形させることができるため、使用者２００の体型の変化にあわせて背負いベルト３の形状を変形させることができる。これにより、使用者２００の体型の変化に柔軟に対応することができる。つまり、使用者２００の体型が成長に伴って変化した場合などに、使用者２００の体型にあわせて背負いベルト３の形状を変形させることで、背負いベルト３を使用者２００身体に十分にフィットさせることができる。
【００４３】
本実施の形態における背負い鞄１００によれば、形状保持部材１０は、ベルト取付具４から外方に突き出すように湾曲してから内方に突き出すように湾曲している。このため、形状保持部材１０を使用者２００の肩２０１から胸２０２を通って脇に沿って配置することが容易となる。したがって、背負いベルト３を使用者２００の肩２０１、胸２０２、脇に立体的に沿うように配置することができる。よって、背負いベルト３を使用者２００の身体にさらにフィットさせることができる。
【００４４】
本実施の形態における背負い鞄１００によれば、形状保持部材１０は、ベルト取付具４から使用者２００の胸２０２に沿う位置まで延在している。このため、使用者２００の肩２０１から胸２０２に至るまで背負いベルト３を使用者２００の身体にフィットさせることができる。したがって、背負いベルト３を使用者２００の身体にさらにフィットさせることができる。
【００４５】
本実施の形態における背負い鞄１００によれば、反射鋲２０は、形状保持部材１０に重なるように配置されている。このため、反射鋲２０を持って背負いベルト３の形状を変形させることができる。したがって、背負いベルト３を変形させることが容易となる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４７】
１  収納部、１ａ  背部、１ｂ  底部、１ｃ  前部、１ｄ  側部、２  蓋部、３  背負いベルト、３ａ  上ベルト、３ｂ  下ベルト、３ｃ  バックル、３ｄ  カバー部材、３ｅ  環状部材、４  ベルト取付具、４ａ  取付部、４ｂ  連結体、４ｃ  挿入部、４ｄ  リベット、５  連結部材、１０  形状保持部材、２０  反射鋲、３０  ベルト本体部、３１  上層部、３２  下層部、１００  背負い鞄、２００  使用者。
【図１】
2020036826.tif 000003
【図２】
2020036826.tif 000004
【図３】
2020036826.tif 000005
【図４】
2020036826.tif 000006
【図５】
2020036826.tif 000007
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
収納部と、
前記収納部に取り付けられたベルト取付具と、
前記ベルト取付具に取り付けられた背負いベルトとを備え、
前記背負いベルトは、自在に可塑変形可能な形状保持部材を含み、
前記形状保持部材は、薄板状に構成されており、
前記ベルト取付具は、前記収納部の背部の上端部に取り付けられた取付部と、前記取付部から上方に突き出した一対の連結体とを有し、
前記連結体の上端に挿入部が設けられており、
前記挿入部は、開口と、前記開口に連通する内部空間を取り囲む周壁とを有しており、
前記背負いベルトの上端部は、前記挿入部の前記開口から前記内部空間に上方から下方に向けて挿入されており、前記挿入部の前記周壁に取り囲まれており、
前記形状保持部材は、前記背負いベルトの前記上端部に配置されており、前記挿入部の前記内部空間に挿入されており、
前記背負いベルトの前記上端部が前記挿入部に挿入された状態で、前記背負いベルトの前記上端部はリベットによって前記連結体に固定されており、
前記リベットは、前記形状保持部材に設けられた貫通孔に挿入されており、
前記形状保持部材は、前記ベルト取付具から上方に向いた状態で前記ベルト取付具に固定されており、かつ前記ベルト取付具から使用者の肩に沿って立ち上がるように構成されている、背負い鞄。
【請求項２】
前記形状保持部材は、前記ベルト取付具から外方に突き出すように湾曲してから内方に突き出すように湾曲している、請求項１に記載の背負い鞄。
【請求項３】
前記形状保持部材は、前記ベルト取付具から前記使用者の胸に沿う位置まで延在している、請求項１または２に記載の背負い鞄。
【請求項４】
前記背負いベルトに取り付けられた反射鋲をさらに備え、
前記反射鋲は、前記形状保持部材に重なるように配置されている、請求項１〜３のいずれか１項に記載の背負い鞄。
【手続補正２】
【補正対象書類名】明細書
【補正対象項目名】０００６
【補正方法】変更
【補正の内容】
【０００６】
本発明の背負い鞄は、収納部と、収納部に取り付けられたベルト取付具と、ベルト取付具に取り付けられた背負いベルトとを備えている。背負いベルトは、自在に可塑変形可能な形状保持部材を含んでいる。ベルト取付具は、収容部の背部の上端部に取り付けられた取付部と、取付部から上方に突き出した一対の連結体とを有している。連結体の上端に挿入部が設けられている。挿入部は、開口と、開口に連通する内部空間を取り囲む周壁とを有している。背負いベルトの上端部は、挿入部の開口から内部空間に上方から下方に向けて挿入されている。形状保持部材は、背負いベルトの上端部に配置されており、挿入部の内部空間に挿入されている。背負いベルトの上端部が挿入部に挿入された状態で、背負いベルトの上端部はリベットによって連結体に固定されている。リベットは、形状保持部材に設けられた貫通孔に挿入されている。形状保持部材は、ベルト取付具から上方に向いた状態でベルト取付具に固定されており、かつベルト取付具から使用者の肩に沿って立ち上がるように構成されている。